(57)【要約】【課題】コンパクトで強力なパイプ耐引抜力を発揮する。かつ、安価で製作容易な管継手を提供する。【解決手段】プラスチック製継手本体10の突出状筒部４の外周に凹溝部６Ａを形成して、この凹溝部６Ａの奥部に溝底薄壁部７を設けて、袋ナット20の螺進によって溝底薄壁部７をＵ字状に変形させて、内挿した金属板製のパイプ抜止め円筒体16の係止片22を、パイプＰの外周面に食い込ませる。【選択図】図２
2015055349.tif 000002
【特許請求の範囲】
【請求項１】
プラスチック製継手本体（10）の突出状筒部（４）の外周に凹溝部（６Ａ）を形成して、該凹溝部（６Ａ）の奥部に溝底薄壁部（７）を設け、袋ナット（20）を上記筒部（４）の雄ねじ部（３）に螺着させるアキシャル方向圧縮力（Ｆ）によって、上記溝底薄壁部（７）をラジアル内方向へ突出するＵ字状乃至Ｖ字状に変形させて、上記突出状筒部（４）に予め挿入した金属板製のパイプ抜止め円筒体（16）の内端縁部（18）の多数の係止片（22）を、挿入されたパイプ（Ｐ）の外周面（23）側に食い込ませて抜止めするように構成したことを特徴とする管継手。
【請求項２】
被接続パイプ（Ｐ）が差込まれる孔部（11）を有すると共に外周に雄ねじ部（３）を有する突出状筒部（４）を備えたプラスチック製継手本体（２）と、上記雄ねじ部（３）に螺着される袋ナット（20）と、を具備する管継手に於て、
上記筒部（４）は上記雄ねじ部（３）よりも先端側の外周面（５）に、凹溝部（６Ａ）が形成され、かつ、該凹溝部（６Ａ）の奥部には溝底薄壁部（７）を有し、
さらに、上記筒部（４）の上記孔部（11）の開口端部（11Ａ）から挿入されて上記凹溝部（６Ａ）の溝底薄壁部（７）の位置まで到達するアキシャル方向長さ寸法（Ｌ15）の内装筒状部（15）を有し、かつ、該内装筒状部（15）は内端縁部（18）に於て多数のアキシャル方向切り目（19）によって形成された多数の係止片（22）を有する金属板製のパイプ抜止め円筒体（16）を備え、
上記袋ナット（20）を上記継手本体（10）の雄ねじ部（３）に螺着させる際に、上記筒部（４）が上記袋ナット（20）からアキシャル方向圧縮力（Ｆ）を受けて、上記凹溝部（６Ａ）の幅寸法（Ｗ）が減少しつつ、上記溝底薄壁部（７）がラジアル内方向へ突出するようにＵ字状乃至Ｖ字状に変形して、上記パイプ抜止め円筒体（16）の上記内装筒状部（15）の内端縁部（18）をラジアル内方向へ押圧し、該内端縁部（18）の上記係止片（22）を、挿入されたパイプ（Ｐ）の外周面（23）側に食い込ませて抜止めするように構成したことを特徴とする管継手。
【請求項３】
上記継手本体（10）の突出状筒部（４）の内周面（24）と、上記パイプ抜止め円筒体（16）の外周面（21）との間、及び、上記突出状筒部（４）の内周面（24）と該内周面（24）に直接に対面するパイプ外周面（23）との間、に渡って、密封用円筒型ゴムシート（25）を、介装した請求項１又は２記載の管継手。
【請求項４】
上記パイプ抜止め円筒体（16）は、外端に外フランジ部（17）を一体に有し、かつ、パイプ外周面（23）への食い込み状態で、上記係止片（22）は、継手軸心（Ｌ０）を含んだ縦断面に於て該継手軸心（Ｌ０）と鋭角(θ)を成す請求項１，２又は３記載の管継手。
【発明の詳細な説明】
【技術分野】
【０００１】
本発明は、管継手に関する。
【背景技術】
【０００２】
図８に示すような管継手を、本発明者は過去に提案している（特許文献１参照）。
即ち、継手本体30Ａの雄ネジ32に螺着される袋ナット33の内周面にテーパ面38を形成し、抜止めリング39の複数のバネ片部41の外面をテーパ面41Ａとして、上記テーパ面38に摺接することでバネ片部41が縮径して、バネ片部41に先端の係止爪部40をパイプ35の外周面に食い込ませて、抜止めさせる構成のものである。
【先行技術文献】
【特許文献】
【０００３】
【特許文献１】特開２０１１−１２７５５号公報
【発明の概要】
【発明が解決しようとする課題】
【０００４】
しかしながら、図８に示した管継手には、次のような問題点がある。（ｉ）抜止めリング39は大きな部品でなければ正規の姿勢を常に維持することが困難であり、正確にパイプ35の外周面に食い込んで係止できない点、（ii）抜止めリング39はパイプ35が矢印Ｃ方向に僅かに引抜かれることでテーパ面41Ａ，38が摺接しつつバネ片部41が縮径方向に変形して係止爪部40がパイプ35の外周面に食い込む構成であるので、管継手内部に大きな空間部42を必要として管継手が大型となると共に、管継手とパイプ35が相対的にアキシャル方向に動く点、（iii）袋ナット33は抜止めリング39をそのテーパ面38にて強力に押圧せねばならず、従って、テーパ面38近傍の肉厚が極めて大きくせねばならない点、（iv）継手本体30Ａは内周面にＯリング用シール溝を加工せねばならず作業能率が低かった。（ｖ）抜止めリング39は高精度の部品として製作が困難でコスト高となっていた。
【０００５】
そこで、本発明は、これらの問題点を解決して、全体がコンパクトで、かつ、製作も容易でコスト低減も図り得て、しかも、大きいパイプ引抜力を発揮し、かつ、配管接続完了の後にパイプが引抜方向に全く移動せずに常に安定して大きい耐抜止力を発揮する管継手を提供することを目的とする。
【課題を解決するための手段】
【０００６】
本発明は、プラスチック製継手本体の突出状筒部の外周に凹溝部を形成して、該凹溝部の奥部に溝底薄壁部を設け、袋ナットを上記筒部の雄ねじ部に螺着させるアキシャル方向圧縮力によって、上記溝底薄壁部をラジアル内方向へ突出するＵ字状乃至Ｖ字状に変形させて、上記突出状筒部に予め挿入した金属板製のパイプ抜止め円筒体の内端縁部の多数の係止片を、挿入されたパイプの外周面側に食い込ませて抜止めするように構成した。
【０００７】
また、被接続パイプが差込まれる孔部を有すると共に外周に雄ねじ部を有する突出状筒部を備えたプラスチック製継手本体と、上記雄ねじ部に螺着される袋ナットと、を具備する管継手に於て；上記筒部は上記雄ねじ部よりも先端側の外周面に、凹溝部が形成され、かつ、該凹溝部の奥部には溝底薄壁部を有し；さらに、上記筒部の上記孔部の開口端部から挿入されて上記凹溝部の溝底薄壁部の位置まで到達するアキシャル方向長さ寸法の内装筒状部を有し、かつ、該内装筒状部は内端縁部に於て多数のアキシャル方向切り目によって形成された多数の係止片を有する金属板製のパイプ抜止め円筒体を備え；上記袋ナットを上記継手本体の雄ねじ部に螺着させる際に、上記筒部が上記袋ナットからアキシャル方向圧縮力を受けて、上記凹溝部の幅寸法が減少しつつ、上記溝底薄壁部がラジアル内方向へ突出するようにＵ字状乃至Ｖ字状に変形して、上記パイプ抜止め円筒体の上記内装筒状部の内端縁部をラジアル内方向へ押圧し、該内端縁部の上記係止片を、挿入されたパイプの外周面側に食い込ませて抜止めするように構成したものである。
【０００８】
また、上記継手本体の突出状筒部の内周面と、上記パイプ抜止め円筒体の外周面との間、及び、上記突出状筒部の内周面と該内周面に直接に対面するパイプ外周面との間、に渡って、密封用円筒型ゴムシートを、介装した。
また、上記パイプ抜止め円筒体は、外端に外フランジ部を一体に有し、かつ、パイプ外周面への食い込み状態で、上記係止片は、継手軸心を含んだ縦断面に於て該継手軸心と鋭角を成すように構成した。
【発明の効果】
【０００９】
本発明に係る管継手によれば、構成部品の各々が簡単かつ容易・安価に製作できる。管継手とパイプとは、パイプの軸心方向（アキシャル方向）へ相対移動せず、接続作業完了時から一体化される。また、プラスチックにて継手本体は安価に大量生産可能であるにかかわらず、強大な耐引抜力を発揮する。特に、プラスチックと金属（板）とを巧妙に結合することで、確実に強力な耐引抜力を発揮すると共に、長い使用期間の後もその耐引抜力が維持される。
【図面の簡単な説明】
【００１０】
【図１】本発明の実施の一形態を示す断面図である。
【図２】袋ナット締付完了状態を示す断面図である。
【図３】他の実施の形態を示す要部断面図である。
【図４】袋ナット締付完了状態を示す断面図である。
【図５】パイプ抜止め円筒体を説明するための図であって、（Ａ）は上方斜めから見た斜視図、（Ｂ）は下方斜めから見た斜視図、（Ｃ）（Ｄ）（Ｅ）は要部の変形例を示した図である。
【図６】要部拡大説明図であって、（Ａ）は未圧縮状態の説明図、（Ｂ）は未圧縮状態の要部の位置関係を示す説明図、（Ｃ）は圧縮状態の作用説明図である。
【図７】変形例を示す要部拡大断面図である。
【図８】従来例を示す要部説明図である。
【発明を実施するための形態】
【００１１】
以下、図示の実施の形態に基づき本発明を詳説する。
図１と図２に示す実施の一形態、及び、図３と図４に示した他の実施の形態に於て、Ｐは被接続パイプ、２は本発明に係る管継手であって、図１，図２はソケット型を示すが、これはエルボ型やチーズ型等であっても良く、継手本体10の一端のみならず、複数端に袋ナット20を有するも好ましい。継手本体10は架橋ポリエチレン等のプラスチック製とすると共に、パイプＰは架橋ポリエチレン等のプラスチックとする。また、袋ナット20も同種のプラスチックとする。
【００１２】
この継手本体10は、被接続パイプＰの端部が差込まれる孔部11を有し、外周の基端寄りに雄ねじ部３を有する突出状筒部４を備える。この筒部４は雄ねじ部３よりも先端側（矢印Ｙ方向側）の外周面５には、２本の凹溝部６Ａ，６Ｂが形成されている。この凹溝部６Ａ，６Ｂは、図１，図３に示す未圧縮状態では、断面がＵ字状又は半円形であって、凹溝部６Ａ，６Ｂの奥部には溝底薄壁部７を有する。
【００１３】
雄ねじ部３に上記袋ナット20が矢印Ｍ方向に回転力を付与することで螺進する。雄ねじ部３の基端に、作業工具等にて掴持自在な、六角形や滑り止め凸条や滑り止め小凹溝を有する膨出部８を有し、さらに、図１と図２では、テーパねじ等の雄ねじ部９を有する。
【００１４】
また、12は内挿管部であって、筒部４と同心状に突設され、筒部４に差込まれたパイプＰの内周面に（密嵌状に）嵌合する。即ち、パイプＰが（後述するように）ラジアル内方向の外力を受けて縮径方向へ過大に変形するのを防止する補強用の管状部分である。従って、アキシャル方向（軸心Ｌ０と平行方向）から見て、円形状の環状凹周溝13が形成され、その深さは十分に深く、雄ねじ部３の存在するアキシャル方向位置にまで達している。
継手本体10の流路孔14は、図１，図２に示した雄ねじ部９側から、上記内挿管部12の内部孔に連続して貫通状に形成される。
【００１５】
図１〜図４、及び、図５〜図７に示したように、突出状筒部４の孔部11の開口端部11Ａから挿入されて、先端側の凹溝部６Ａの溝底薄壁部７の位置まで到達するアキシャル方向長さ寸法Ｌ15の内装筒状部15を有する金属板製のパイプ抜止め円筒体16を備えている。
このパイプ抜止め円筒体16は、外端に外フランジ部17を一体に有し、材質はステンレス鋼等が好ましい。また、内装筒状部15は、内端縁部18に於て、多数のアキシャル方向切り目19によって多数の係止片22が形成されている。
【００１６】
図５（Ａ）（Ｂ）（Ｃ）に示す具体例では切り目19は一文字型であり、図５（Ｄ）では細長三角形型であり、図５（Ｅ）では一文字型であって奥に小円形部を有する形状である。従って。係止片22は、図５（Ｃ）又は（Ｅ）では長方形であり、図５（Ｄ）では台形である。
【００１７】
ところで、図６（Ｂ）に示すように、内装筒状部15の奥側の最内端部15Ａのアキシャル方向位置は、凹溝部６Ａの外側面26と、凹溝部６Ａの溝幅寸法Ｗの半分の位置との範囲（１／２・Ｗ）の位置に設定する。つまり、前記アキシャル方向長さ寸法Ｌ15を、図６（Ｂ）に示す如く、凹溝部６Ａの外側面26と、凹溝部６Ａの溝幅中央部までの範囲（１／２・Ｗ）の位置に、最内端部15Ａが、未圧縮状態にて、存在するように、設定する。
【００１８】
また、継手本体10の突出状筒部４の（孔部11の）内周面24と、上述のパイプ抜止め円筒体16（の内装筒状部15）の外周面21との間、及び、筒部４の（孔部11の）内周面24と該内周面24に直接に（他の物体を介さずに）対面するパイプ外周面23との間に、渡って、密封用円筒型ゴムシート25を、介装している。
【００１９】
この円筒型ゴムシート25は、図１，図６，図７のように筒部４の孔部11のアキシャル方向の略全体に対応する継ぎ目（切れ目）の無い円筒型とする場合と、図３に示すように外端に外フランジ部25Ｆを有すると共に筒部４の孔部11のアキシャル方向の略全体及び筒部４の外端面４Ａに対応する継ぎ目（切れ目）の無い円筒型とする場合が、選択可能である。
【００２０】
ところで、筒部４の内周面24の内径寸法について言えば、パイプ抜止め円筒体16の内装筒状部15の存在する範囲（アキシャル方向長さ寸法Ｌ15）が僅かに（残部よりも）大きい。つまり、パイプ抜止め円筒体16の肉厚寸法をＴ16とすれば、内周面24の内径寸法が内装筒状部15に存在する範囲では、２・Ｔ16だけ大きく設定されている。従って、図６と図７に示すように、半径に於て、肉厚寸法Ｔ16に相当する段差部が形成されるが、この段差部の形状は、アキシャル内方向に縮径するテーパ状部28に形成する。
【００２１】
袋ナット20の外面形状は、六角形としたり、アキシャル方向に滑り止め用の小凹溝や小凸条を有する形状とする。そして、図１（図３）及び図６（Ａ）から、図２（図４）及び図６（Ｃ）に示すように、袋ナット20を継手本体10の雄ねじ部３に螺着させる（矢印Ｍ方向に回転する）際に、筒部４が袋ナット20から、アキシャル方向圧縮力Ｆを受けて、凹溝部６Ａの幅寸法Ｗが減少しつつ、溝底薄壁部７がラジアル内方向へ突出するようにＵ字状乃至Ｖ字状に変形してゆく。ラジアル内方向へ突出するように変形する溝底薄壁部７に摺接しつつ、パイプ抜止め円筒体16の内装筒状部15の内端縁部18は、ラジアル内方向へベクトル（矢印）Ｆ７にて示す如く押圧され、この内端縁部18の係止片22を、パイプＰの外周面23側へ食い込ませて抜止めする（図２，図４，図６（Ｃ）参照）。
パイプ外周面23への食い込み状態で、係止片22は、継手軸心Ｌ０を含んだ縦断面に於て
継手軸心Ｌ０と鋭角θを成す。
【００２２】
以上を要約して説明すると、本発明に係る管継手は、プラスチック製継手本体10の突出状筒部４の外周に凹溝部６Ａを形成して、該凹溝部６Ａの奥部に溝底薄壁部７を設け、袋ナット20を上記筒部４の雄ねじ部３に螺着させるアキシャル方向圧縮力Ｆによって、上記溝底薄壁部７をラジアル内方向へ突出するＵ字状乃至Ｖ字状に変形させて、上記突出状筒部４に予め挿入した金属板製のパイプ抜止め円筒体16の内端縁部18の多数の係止片22を、挿入されたパイプＰの外周面23側に食い込ませて抜止めするように構成したものである。
【００２３】
図７に於て、袋ナット20の内周面と、突出状筒部４及びパイプ抜止め円筒体16の外フランジ部17との間に、相対的回転滑り助長用円筒状カバー部材27を介在させている。カバー部材27はステンレス鋼等の硬質金属やプラスチック等とし、摩擦係数の低い材質が好ましい。
【００２４】
図面からも明らかなように、凹溝部６Ａ，６Ｂが２本設けられており、内方側の凹溝部６Ｂは圧縮力Ｆによって（外方側の凹溝部６Ａと同様に）弯曲変形するが、ゴムシート25を整然と圧縮して、密封性を高める作用をなすと共に、パイプ引抜力向上にも貢献する。なお、凹溝部６Ｂに対応して、パイプ抜止め円筒体16を付設するも、自由である（図示省略）。また、内方側の凹溝部６Ｂを省略することも可能である。
【００２５】
図示の実施の形態では、Ｏリング等シール材を全く省略したので、継手本体10には、シール凹溝が省略され、これによって、プラスチック成型が容易となり、あるいは、追加の機械加工が省略できる利点があり、コストダウンも図り得て、大量生産も可能となる。
【００２６】
なお、図示の実施の形態では、内挿管部12を設けた構成によって、次のような利点がある。（ｉ）湯水に主として用いる場合に、湯水に混入している塩素ガス等によって、長期使用期間後にはゴム等の劣化の虞れがあるが、内挿管部12の外周面がパイプＰの内周面に密に嵌合しており、上記塩素ガス等の有害気体がゴムシート25に到達しにくく、ゴムの劣化が生じ難く長寿命となる。（ii）パイプＰが図２，図４，図６に示した矢印（ベクトル）Ｆ７の力を受けて縮径方向に逃げようとするが、ラジアル内方向から十分な補強の機能を発揮する。従って、係止片22の食い込みが確実に行われることとなる。
【００２７】
ところで、プラスチック製継手本体10は、外周面側には凹溝部６Ａ，６Ｂ及び雄ねじ部３が存在するが、射出成型上は問題がない。これに対し、内挿管部12及び環状凹周溝13の内面には凹溝部が存在すると射出成型が著しく困難となる。図示の実施の形態では、そのような凹溝部やねじ部が、内挿管部12及び環状凹周溝13の内面に存在せず、射出成型の作業性が良好であり、安価な大量生産も可能となる。
本発明に係るパイプ抜止め円筒体16の肉厚は、0.15mm〜0.4mm 、望ましくは0.18mm〜0.3mm でも十分である。
【００２８】
本発明は、上述のように、プラスチック製継手本体10の突出状筒部４の外周に凹溝部６Ａを形成して、該凹溝部６Ａの奥部に溝底薄壁部７を設け、袋ナット20を上記筒部４の雄ねじ部３に螺着させるアキシャル方向圧縮力Ｆによって、上記溝底薄壁部７をラジアル内方向へ突出するＵ字状乃至Ｖ字状に変形させて、上記突出状筒部４に予め挿入した金属板製のパイプ抜止め円筒体16の内端縁部18の多数の係止片22を、挿入されたパイプＰの外周面23側に食い込ませて抜止めするように構成したので、既述の所期目的を達成し、全体のコンパクト化、製作の容易化、コスト低減を図り、しかも、プラスチックと金属とを巧妙に結合して、プラスチックの一部位の変形を、金属板製の係止片を強力に押圧して、係止片の鋭利な先端（エッジ）を、パイプに食い込ませて、長期にわたって強力な安定した耐引抜力を発揮できる。
【００２９】
また、被接続パイプＰが差込まれる孔部11を有すると共に外周に雄ねじ部３を有する突出状筒部４を備えたプラスチック製継手本体２と、上記雄ねじ部３に螺着される袋ナット20と、を具備する管継手に於て；上記筒部４は上記雄ねじ部３よりも先端側の外周面５に、凹溝部６Ａが形成され、かつ、該凹溝部６Ａの奥部には溝底薄壁部７を有し；さらに、上記筒部４の上記孔部11の開口端部11Ａから挿入されて上記凹溝部６Ａの溝底薄壁部７の位置まで到達するアキシャル方向長さ寸法Ｌ15の内装筒状部15を有し、かつ、該内装筒状部15は内端縁部18に於て多数のアキシャル方向切り目19によって形成された多数の係止片22を有する金属板製のパイプ抜止め円筒体16を備え；上記袋ナット20を上記継手本体10の雄ねじ部３に螺着させる際に、上記筒部４が上記袋ナット20からアキシャル方向圧縮力Ｆを受けて、上記凹溝部６Ａの幅寸法Ｗが減少しつつ、上記溝底薄壁部７がラジアル内方向へ突出するようにＵ字状乃至Ｖ字状に変形して、上記パイプ抜止め円筒体16の上記内装筒状部15の内端縁部18をラジアル内方向へ押圧し、該内端縁部18の上記係止片22を、挿入されたパイプＰの外周面23側に食い込ませて抜止めするように構成したので、所期目的を達成できて、製作の容易化を図り、コスト低減も可能となり、プラスチックと金属とを結合して、確実かつ強固に耐引抜力を維持できる管継手が得られる。即ち、プラスチックのパイプＰに対して、プラスチックの溝底薄壁部７の食い込みでは、滑り易かったり、クリープ現象にて食い込みが浅くなる変形が長期使用期間後に発生する虞れがあったのに対して、本発明では、小さな係止部位である係止片22が金属板片として、最先端のエッジ（刃先）は塑性変形して、長期使用期間後も、確実に安定して、強力な耐引抜力を発揮する。
【００３０】
また、上記継手本体10の突出状筒部４の内周面24と、上記パイプ抜止め円筒体16の外周面21との間、及び、上記突出状筒部４の内周面24と該内周面24に直接に対面するパイプ外周面23との間、に渡って、密封用円筒型ゴムシート25を、介装した構成であるので、シール溝の加工を省略できて、継手本体10のプラスチック成型も容易であり、かつ、管継手としての外径寸法も小さくできる。さらに、溝底薄壁部７のＵ字状乃至Ｖ字状の変形に伴って局部的にゴムシート25が閉円環状に弾性圧縮されて（図２，図４，図６（Ｃ）参照）、一層安定した密封性能を発揮できる。
【００３１】
また、上記パイプ抜止め円筒体16は、外端に外フランジ部17を一体に有し、かつ、パイプ外周面23への食い込み状態で、上記係止片22は、継手軸心Ｌ０を含んだ縦断面に於て該継手軸心Ｌ０と鋭角θを成すように構成したので、パイプ抜止め円筒体16を筒部４に挿入した際の差込み深さが一定となり、内端縁部18の最内端部15Ａのアキシャル方向位置が凹溝部６Ａの溝底薄壁部７のアキシャル方向位置に対応する。従って、確実に（図６に示したように）係止片22がパイプＰの外周面に食い込む。しかも、鋭角θを成すように係止片22が食い込むので、パイプＰの耐引抜力は極めて大きくなる。
【符号の説明】
【００３２】
２  管継手
３  雄ねじ部
４  （突出状）筒部
５  外周面
６Ａ  凹溝部
７  溝底薄壁部
１０  継手本体
１１  孔部
１１Ａ  開口端部
１５  内装筒状部
１６  パイプ抜止め円筒体
１７  外フランジ部
１８  内端縁部
１９  切り目
２０  袋ナット
２１  外周面
２２  係止片
２３  パイプ外周面
２４  内周面
２５  ゴムシート
Ｐ  被接続パイプ
Ｗ  （溝）幅寸法
Ｆ  アキシャル方向圧縮力
Ｌ０  軸心
Ｌ15  アキシャル方向長さ寸法
【図１】
2015055349.tif 000003
【図２】
2015055349.tif 000004
【図３】
2015055349.tif 000005
【図４】
2015055349.tif 000006
【図５】
2015055349.tif 000007
【図６】
2015055349.tif 000008
【図７】
2015055349.tif 000009
【図８】
2015055349.tif 000010